(57)【特許請求の範囲】
【請求項１】
平行に立設した断面円形状の支柱間に仕切パネル体を配設し、隣接する支柱の上端部間を桁部材により連結し、桁部材の上面に屋根材を載置した簡易構築物において、隣接する桁部材が継手部材を介して相互回動自在に連結され、継手部材の回動中心位置下部に円筒状のカバー部を形成し、継手部材のカバー部を支柱の上端に嵌合し、桁部材を隣接する仕切パネル体の交差角度に合わせて配設したことを特徴とする簡易構築物。
【請求項２】
両端に取付けブラケットを回動自在に設けた補強桁を対向する桁部材の間に配設し、取付けブラケットを桁部材に定着したことを特徴とする請求項１に記載の簡易構築物。
【発明の詳細な説明】
【０００１】
【発明の属する技術分野】
この発明はゴミ集積ボックス、物置等として利用可能な簡易構築物であって、特に変形地での施工に適した簡易構築物に関するものである。
【０００２】
【従来の技術】
従来、簡易構築物を施工する場合、先ず支柱を垂直に立設し、支柱の間に仕切パネル体を配設し、仕切パネル体は取付ブラケット等を用いて支柱に固着され、支柱の上端部間には桁部材が架設され、該桁部材の上面に屋根材を載置したものが知られている（特開平８−１０８９０２号公報等）。
このような簡易構築物は、平面形状が矩形状を呈するものしか一般的に用意されておらず、施工場所の平面形状が矩形状となっている場合には支障無く簡易構築物を施工できるが、施工場所の形状が台形状あるいは三角形状等の変形地である場合には、簡易構築物を体裁良く施工場所に設置することができず、図１０に示したとおり、簡易構築物Ａと塀Ｂの間に無駄なスペースＳが生じるものであった。
【０００３】
そこで、変形地の形状に合わせて簡易構築物の平面形状を変更する場合、上記のような無駄なスペースＳが生じることはなく、有効に土地面積を活用することができるが、簡易構築物を構成する部材の大きさを施工場所に合わせて予め加工しておかなければならないものであった。特に仕切パネル体の上方に配設される桁部材を支柱上端に固着する場合、隣接する桁部材との交差角度に合わせて桁部材の端部を切り落とさなければならず、簡易構築物の施工作業が甚だ面倒なものであった。
そして、このような変形地に施工される簡易構築物は、施工現場の形状に合わせて桁部材の形状等を予め加工したものを使用しなければならず、量産に適さないものであった。
【０００４】
【発明が解決しようとする課題】
この発明の目的は、変形地における簡易構築物の施工を簡略化するものであり、施工現場において桁部材等の長さを切り詰めることによって、施工場所の形状に合わすことのできる、量産に適した簡易構築物を提供することにある。
【０００５】
【課題を解決するための手段】
本発明者は、このような事情に鑑み鋭意検討を重ねた結果、平行に立設した断面円形状の支柱間に仕切パネル体を配設し、隣接する支柱の上端部間を桁部材により連結し、桁部材の上面に屋根材を載置した簡易構築物において、隣接する桁部材が継手部材を介して相互回動自在に連結され、継手部材の回動中心位置下部に円筒状のカバー部を形成し、継手部材のカバー部を支柱の上端に嵌合し、桁部材を隣接する仕切パネル体の交差角度に合わせて配設したことによって、所期の目的を達成したものである。
【０００６】
さらに本発明は、両端に取付けブラケットを回動自在に設けた補強桁を対向する桁部材の間に配設し、取付けブラケットを桁部材に定着したことにより、補強桁を対向する桁部材の交差角度に応じて配設でき、設置面積の大きな簡易構築物であっても、強度を低下させることなく施工し得て、屋根材の撓みも防止することができる。
【０００７】
【作用】
この発明によれば、隣接する桁部材が継手部材を介して相互回動自在に連結され、継手部材の回動中心位置下部にカバー部が形成され、継手部材の円筒状のカバー部を断面円形状の支柱の上端に嵌合し、桁部材を隣接する仕切パネル体の交差角度に合わせて配設しているので、桁部材を仕切パネル体の横幅に合わせて切断し、所定長に切断した桁部材を支柱の上端に設けた継手部材の桁連結部に接続し、隣接する桁部材の交差角度を仕切パネル体の交差角度に合わせて回動調整し、屋根部材を桁部材の上面に載置し得るので、種々の形状の簡易構築物を施工現場において簡便に構築することができる。
【０００８】
【発明の実施の形態】
発明の実施の形態を実施例にもとづき図面を参照して説明する。
図１ないし図９は本発明簡易構築物の実施例であり、図１ないし図４は第１実施例、図５ないし図６は第２実施例、図９は第３実施例を表わす。図中１は簡易構築物であり、２は支柱、３は仕切パネル体、４は扉体であり、本実施例はごみ集積ボックスとして好適な簡易構築物１を表わす。鉄製の支柱２は断面円形状を呈し、施工場所に掘穿した穴にその下端部をモルタル等によって埋設するか、あるいは支柱２の下端に固定ブラケットを設け、このブラケットをアンカーボルト等を用いて固着することにより、施工場所に定着される。
【０００９】
仕切パネル体３は、縦横に交差する線材を交差点において溶接した網状体であり、その幅方向における長さは横線材を切断することにより調整可能となっている。そして、仕切パネル体３は支柱２に巻回した取付け金具５によって、支柱２に固着されている。
【００１０】
仕切パネル体３の上方位置には、桁部材６が配設されており、桁部材６は四角柱状を呈するアルミニウム製形材により形成されている。桁部材６の材質としては、アルミニウムの他、鉄、ステンレス等種々の金属材料を使用することができる。
桁部材６の端部には継手部材７が連結されており、継手部材７の桁連結部７１が桁部材６の端部に被せられている。桁連結部７１において透孔７５が２箇所穿設されており、該透孔７５を挿通するタッピング螺子（不図示）を桁部材６に螺入して、桁連結部７１と桁部材６の連結が完了する。なお、桁部材６は桁連結部７１に沿って螺子止めされる位置を変更することにより、桁部材６の長さを変えることができ、切断加工した桁部材６の長さに誤差があっても、桁連結部７１の取付け位置の変更によって、調整可能である。
【００１１】
継手部材７は上側継手部材７２と下側継手部材７３とから形成されており、上側継手部材７２と下側継手部材７３の先端部に形成した円形部分を重ね合わせ、中央位置において上側継手部材７２と下側継手部材７３が回動自在に連結されている。下側継手部材７３の先端部下部には、カバー部７４が形成されており、カバー部７４は支柱２の上端に嵌着している。なお、カバー部７４は円筒状に形成され、支柱２の上端に嵌着した後においても、下側継手部材７３が支柱２を中心として回動可能となっている。
【００１２】
桁部材６の上面６１には屋根材８が載置され、仕切パネル体３と同様な部材で形成された網状体からなる屋根材８は、簡易構築物１の平面形状に合わせて所定形状に切断して使用される。そして屋根材８の周縁部分が桁部材６の上面６１に載置されたのち、断面Ｌ字形状を呈する屋根押え部材９を桁部材６の外側面６２にビス止めして、屋根材８が桁部材６の上面６１に定着される。
【００１３】
図１ないし図４に記載した第１実施例の簡易構築物１の平面形状は台形状のものを表わし、図５ないし図６の第２実施例は三角形状のものを表わしているが、設置面積が大きな簡易構築物１となる場合には、補強桁１０が対向する桁部材６，６間に配設される。補強桁１０の両端には取付けブラケット１１が回動自在に設けられており、取付けブラケット１１の取付け面１１１が桁部材６の内側面６３に固着され、対向する桁部材６，６間に補強桁１０が配設される。
なお、扉体４は吊元支柱２１に設けたヒンジ金具１２に取付けられ、扉体４が回動自在に保持され、扉体４と戸当支柱２２は施錠可能となっている。
【００１４】
以上の構成からなる本発明簡易構築物によれば、仕切パネル体３の上方に設けられる桁部材６は継手部材７に連結され、継手部材７を介して隣接する桁部材６同士が回動自在に連結されているので、隣接する仕切パネル体３の交差角度に合わせて桁部材６の交差角度を調整することができ、継手部材７の回動中心位置下部に形成したカバー部７４が支柱２の上端に嵌着されているため、簡易構築物１における桁部材６の配設を簡便に為し得るものである。従って、変形地において簡易構築物１を施工する場合でも、個別に変形地用の部材を設計することなく、施工現場において仕切パネル体３及び桁部材６を所定長に切断するだけで良いので、簡易構築物１の施工を飛躍的に簡略化することができる。
【００１５】
なお、上記第１、第２実施例において、簡易構築物１は支柱２を立設し、その支柱２間に仕切パネル体３を配設したものであるが、例えば図９に示した第３実施例においては、予め施工されている網状のフェンスパネル体１３１を連設した所謂メッシュフェンスの支柱等を利用して、このフェンス１３の支柱に仕切パネル体３を連結し、フェンスパネル体１３１と仕切パネル体によって囲われる部分を簡易構築物１として形成することも可能である。第３実施例においてはフェンス１３の一部を簡易構築物１として利用することができ、安価な簡易構築物１を得ることができる。
【００１６】
【発明の効果】
本発明簡易構築物によれば、隣接する桁部材が継手部材を介して相互回動自在に連結され、継手部材の回動中心位置下部に円筒状のカバー部が形成され、継手部材のカバー部を断面円形状の支柱の上端に嵌合し、桁部材を隣接する仕切パネル体の交差角度に合わせて配設しているので、桁部材を仕切パネル体の横幅に合わせて切断し、所定長に切断した桁部材を支柱の上端に設けた継手部材の桁連結部に接続し、隣接する桁部材の交差角度を仕切パネル体の交差角度に合わせて回動調整し得るので、種々の形状の簡易構築物を施工現場において簡便に構築することができる等、実践面の効果は多大である。
【図面の簡単な説明】
【図１】  本発明簡易構築物の第１実施例の屋根部分を表わす分解斜視図
【図２】  本発明簡易構築物の第１実施例の屋根部分を表わす斜視図
【図３】  本発明簡易構築物の第１実施例の平面図
【図４】  本発明簡易構築物の第１実施例の正面図
【図５】  本発明簡易構築物の第２実施例の平面図
【図６】  本発明簡易構築物の第２実施例の正面図
【図７】  本発明簡易構築物の継手部材を表わす平面図（Ａ）と側面図（Ｂ）
【図８】  本発明簡易構築物の継手部材の角度を調整した状態を表わす平面図
【図９】  本発明簡易構築物の第３実施例を表わす平面図
【図１０】従来の簡易構築物を表わす説明図
【符号の説明】
１      簡易構築物
２      支柱
３      仕切パネル体
６      桁部材
７      継手部材
８      屋根材
１０      補強桁
１１      取付けブラケット
７４      カバー部
【図１】
0004259740.tif 000002
【図２】
0004259740.tif 000003
【図３】
0004259740.tif 000004
【図４】
0004259740.tif 000005
【図５】
0004259740.tif 000006
【図６】
0004259740.tif 000007
【図７】
0004259740.tif 000008
【図８】
0004259740.tif 000009
【図９】
0004259740.tif 000010
【図１０】
0004259740.tif 000011